(57)【要約】  カンナビス植物材料からΔ-9-テトラヒドロカンナビノール（THC）を単離する方法において、カンナビス植物材料を抽出し、酸に富むカンナビス抽出物からのΔ-9-THC酸をアルミナ固体支持体にキレートさせ、抽出物の非酸成分を有機溶媒で洗浄し、かつΔ-9-THC酸を極性の強い溶媒で溶離する工程を含む、Δ-9-THC酸及びTHCを別々に得る方法。この方法はまた、低濃度のTHCを含むカンナビス抽出物又はその蒸留から得られる残留物を、水混和性有機溶媒で処理し、次いで濾過して溶媒を蒸発させることにより濃縮残留物を得ることを含む、THC含量を増大させて抽出物又は残留物の質量を減少させる方法も含む。【特許請求の範囲】
【請求項１】
カンナビス植物材料からΔ-9-テトラヒドロカンナビノール（THC）を単離する方法において、
(a)  カンナビス植物材料を抽出し、
(b)  酸に富むカンナビス抽出物中のΔ-9-THC酸をアルミナにキレートさせ、
(c)  アルミナにキレートされた抽出物の非酸成分を有機溶媒で洗浄し、かつ
(d)  Δ-9-THC酸を極性の強い溶媒で溶離する、
工程を含むΔ-9-THC酸及びTHCを別々に得ることを特徴とする方法。
【請求項２】
前記アルミナが、塩基性、中性、又は酸性タイプのアルミナから選択される請求項１記載の方法。
【請求項３】
前記抽出物をアルミナに適用するのに使用される有機溶媒が、単独又は低濃度の極性溶媒及び／又はエーテルと組み合わせた、ヘキサン、ヘプタン又はイソオクタンのような炭化水素溶媒である請求項２記載の方法。
【請求項４】
前記非酸成分を洗浄するのに使用される溶媒が、炭化水素溶媒の混合物からなり、アセトン、酢酸エチル、エーテル、及びメチル-t-ブチルエーテルのような極性溶媒の濃度が増大し、かつ溶離溶媒の極性がメタノールまで増大している請求項３記載の方法。
【請求項５】
前記アルミナからΔ-9-THC酸を溶離するのに使用される溶媒が、酢酸のような強酸調節剤とメタノールとの混合物（前者が混合物の１乃至１０％含まれる）を含む請求項４記載の方法。
【請求項６】
カンナビス植物材料からTHCを単離する方法において、カンナビス抽出物又はTHCを含む希薄混合物を極性の水混和性有機溶媒と水との混合物（水含量は０乃至３０％）で処理する工程により、抽出物又は混合物のTHC含量を増大させることを含む方法。
【請求項７】
前記有機溶媒が、メタノール、エタノール、プロパノール、イソプロパノール、アセトン、アセトニトリル、又はメタノール性KOHである請求項６記載の方法。
【請求項８】
前記カンナビス抽出物又は混合物をまず純粋な有機溶媒に溶解させ、次いで攪拌しながら適量の水を添加し、沈殿物質を沈殿させる請求項７記載の方法。
【請求項９】
前記沈殿物質を濾過により除去し、溶媒濾液を蒸発させて濃縮抽出物を得る請求項８記載の方法。
【請求項１０】
カンナビス植物材料からTHCを単離する方法において、カンナビス抽出物又はTHCを含む希薄混合物を非極性溶媒及び水と混合した極性溶媒（含水量は０乃至３０％）間に分配することにより、抽出物又は混合物のTHC含量を増大させることを含む方法。
【請求項１１】
カンナビス抽出物の分別蒸留から得られるTHC含量の低い残留物を、極性溶媒を用いて摩砕し、次いで濾過して極性溶媒を蒸発させることを含む残留物の再処理方法。
【請求項１２】
前記極性溶媒が、アセトニトリル又はメタノール性KOHであり、非極性溶媒が、一般的な炭化水素溶媒である請求項１０記載の方法。
【発明の詳細な説明】
【技術分野】
【０００１】
関連出願との相互関係
本出願は、本明細書に参考として導入されている１９９８年１０月２６日に出願された、Elsohlyらによる“Δ-9-テトラヒドロカンナビノールの調製方法”という発明の名称の米国特許願第09/178,962号の優先権を主張し、その部分継続出願である。
政府の補助
部分継続出願の資金調達は、“Δ-9-THCの経済的供給の開発”に関して、NIDAから交付番号SBIR No. N44-DA-O-7076の助成金により提供された。政府はこの特定の部分継続出願において一定の権利を有する。
【背景技術】
【０００２】
発明の背景
Δ-9-テトラヒドロカンナビノール（THC、ドロナビノールとしても知られている）は、化学療法に伴う嘔気嘔吐の制御に関して、及び近年消耗症候群に苦しむエイズ患者の食欲促進薬に関して食品医薬品局（FDA）により認められているカンナビス植物中の主要な生理学的に活性な成分である。しかしながら、薬剤は、緑内障（1）、片頭痛（2、3）、痙縮（4）、不安症（5）の治療、及び鎮痛剤（4）のような治療的用途に役立つその他の生理学的活性を示す。マリファナがその医学的な価値に関して一般的に論議されるのは、これらの前途有望なTHCの生理学的活性のためである。薬剤の医学的用途及び乱用の可能性間のバランスは微妙なバランスである。医薬的なマリファナの提案者による主要なポイントの一は、今日入手しうる軟質ゼラチンカプセルの調剤が非常に高価で、その効果に一貫性がないということである。後者のポイントは、経口的THCが胃腸管から一貫性なく吸収され、次いで初回通過効果により重要な代謝で多量の11-OH-THCを生成し、望ましくない副作用を示すという事実により説明されるであろう。現在開発中の別のTHC調剤は、座薬基剤に配合されたTHCヘミスクシネートを構成するプロドラッグである（6）。この調剤は、経口的調剤に伴う問題を克服し、動物研究において一貫した生理学的活性を提供することが示されている（7）。予備的な臨床学的研究によれば、この調剤の有望性が示されている（8、9、10）。カンナビスの治療上の活性における今日の関心を考えると、その他のTHC調剤が出現することが期待される。
【０００３】
調剤がTHC又はそのプロドラッグに使用されているか否かに関係なく、原料源は重要である。今日認可されているカプセル調剤は、製造するのに非常に高価な合成THCから調製されている。天然の材料（カンナビス）からTHCを単離する経済的な方法が開発されば、原料物質の価格が有意に低下して、そのような調剤が妥当な価格で一般の人々に開発されうると考えられる。その結果、THC（又はそのプロドラッグ）を含む別の治療が有効になり、医薬としてのマリファナの承認に対する一般の人々の抗議を鎮圧するのを助けるであろう。
主としてその化学構造を決定するため、又はその植物の植物化学を研究するために、長年にわたって植物材料からTHCを単離する様々な研究が実施されてきた。１９４２年には、Wollnerらがカンナビス抽出物“赤油（red oil）”からのテトラヒドロカンナビノールの単離を報告した（11）。赤油は、エーテルで植物材料を抽出したのち、室温において濃縮した抽出物を蒸留し、更に減圧下（１５〜５０mmHg）で再蒸留することにより調製された。油を無水酢酸でアセチル化し、アセチル化生成物を減圧下で分別蒸留した。６つのフラクションが回収された。最初と最後のフラクションは除去した。主要なフラクションに相当する残りの４つのフラクション（フラクション２、３、４、及び５）を一緒にしてベンゼン中のシリカゲルカラムを通過させ、次いで四塩化炭素溶液中の活性アルミナ上を通過させた。生成物を酸、アルカリ、又はアンモニアのアルコール溶液により加水分解した。彼らは、脱アセチル化生成物が、いずれにしてもアセテートとは異なる生理学的な効力有すると報告した。全てのフラクションは純粋な化合物ではなかった。
【０００４】
DeRoppは、１９６０年に、インドタイマの花の先端からのTHCの単離を記載した（12）。彼の方法は、カンナビスのメタノール抽出物を吸着クロマトグラフィーで分離し、次いでN,N-ジメチルホルムアミド／シクロヘキサン混合物を用いセライト上で分配クロマトグラフィーで分離し、高真空蒸留することを含んだ。THCの純度は、ペーパー・クロマトグラフィーの結果に基づいた。
天然に存在するTHCの純粋な形での最初の単離は、１９６４年にGaoni及びMechoulamにより報告された（13）。THCは、フロリシル（florisil）及びアルミナ上での反復カラム・クロマトグラフィーによりハシシのヘキサン抽出物から単離された。更なる精製は、THCの3,5-ジニトロフェニルウレタン結晶を調製したのち、穏和な塩基性加水分解により純粋なTHCを得ることにより実施した。THCの純度は、薄層クロマトグラフィー（TLC）及び分光分析（IR及びNMR）により判明した。
Korteらは、１９６５年に、インドタイマ（Cannabis sativa indica 及びCannabis sativa non indica）の雌性花序の粗抽出物からのTHCの単離を報告した（14）。カロチノイド、クロロフィル及びキサントフィルのような着色不純物を除去するために、粗抽出物を活性アルミナ上でクロマトグラフィー分離した。全てのカンナビノールフラクションを一緒にして濃縮すると、褐色がかった赤色の油が得られた。油を更に向流分配法により精製するとTHCが得られ、このものはGaoni及びMechoulamにより報告されたもの（13）と同一であることが判明した。
【０００５】
１９６７年には、Mechoulam及びGaoniが、ハシシのヘキサン抽出物の酸性フラクションからのTHCの単離を報告した（15）。ハシシのヘキサン抽出物を酸性及び中性フラクションに分離した。酸性フラクションをフロリシル又は酸で洗浄したアルミナ上でクロマトグラフィー分離した。ペンタン−エ−テル混合物を用い、極性を増大させながらカラムを溶離した。THCは、エーテルの１５％ペンタン溶液で溶離した。結晶誘導体（3,5-ジニトロフェニルウレタンTHC、融点１１５〜１１６℃）の調製及びその後の加水分解により反復クロマトグラフィーを実施した。
１９７２年には、Verwey及びWitteが、ハシシからのTHC酸の単離によるTHCの調製方法を報告した（16）。ヘキサン抽出物を、抽出漏斗中で２％のNaOH溶液並びに２％の亜硫酸ナトリウムとともに振盪した。アルカリ層をH2SO4（pH＜２）で酸性とし、カンナビノイド酸を沈殿させた。油層並びに壁上の油付着物をエーテルで抽出した。酸−塩基抽出工程を繰り返した。THCは、砂浴上で酸を含むエーテル溶液を３００℃に加熱することにより不純物酸から得られた。エーテルが蒸発したのち、蒸発皿を砂浴上にちょっとの間保持すると、THC酸が脱カルボキシル化した。THCを分離用THCで洗浄した。
要約すると、THC及びその他のカンナビノイド成分の単離においては、一般的には植物のアルコール又は石油エーテル又はベンゼン又はヘキサン抽出物を中性及び酸性フラクションに分離する。これらのフラクションを更に反復カラム・クロマトグラフィー及び向流分配又はこれらの方法の組合せにより精製する。カラム・クロマトグラフィーにおいては、特にシリカゲル、珪酸、珪酸―硝酸銀、フロリシル、酸洗浄アルミナ、及び酸洗浄アルミナ−硝酸銀のような種々の吸着剤が使用されてきた。前述の方法の多くは少量のTHCを調製するのに使用され、大規模の製造には使用されなかった。
THCを大量に（kg量）調製するためには、効率的で経済的な方法が必要である。そのような方法は効率的な単離方法を必要とするであろう。
【０００６】
発明の要約
本発明は、カンナビス植物材料からTHC及びTHC酸を得る改良方法に関する。THCの調製価格を合成法より数倍低下させる、簡単で、高収率の工程が開発された。
本発明は、カンナビス植物材料を非極性有機溶媒で抽出してTHCを含む抽出物を提供し、かつ抽出物を減圧下で分別蒸留してTHC含量の高い蒸留フラクション（蒸留物）を提供する工程を含む方法の改良に関する。本方法は更に、植物材料からの抽出物を、分別蒸留する前にカラム・クロマトグラフィーにより分離することを含む。本方法の更に別の面は、分別蒸留からの蒸留物をカラム・クロマトグラフィーにより分離することを含む。更に、本発明は、植物材料からの抽出物の精製において高圧液体クロマトグラフィー（HPLC）を使用することを含む。
本発明の改良は、カンナビス抽出物又は蒸留残留物を極性の水混和性有機溶媒と水との混合物で処理することにより沈殿物を形成させ、濾液を濃縮して濃縮抽出物を提供することにより、抽出物又は残留物のTHC含量を増大させる方法に関する。
更なる改良は、酸を含むカンナビス抽出物中に含まれるTHC酸をアルミナ上でキレート化させ、中程度の極性溶媒で非酸成分を洗浄により除去し、かつ強い極性溶媒でアルミナを溶離して単離されたTHC酸を提供する方法である。
【０００７】
発明の詳細な説明
本発明は、カンナビス植物材料からTHCを単離する効率的かつ経済的な方法を提供するための手順に改良を提供する。植物材料を非極性有機溶媒で抽出する。有用な溶媒には、例えば、ヘキサン、ヘプタン又はイソオクタンのような低級アルカンが含まれる。THCを含む抽出物は、溶媒の除去後に減圧下で分別蒸留し、第二の蒸留物を回収する。本発明の一実施態様においては、第一の蒸留物は再び減圧下で分別蒸留し、第二の蒸留物を回収する。第二の蒸留物のTHC含量は９０質量％以上である。
出願人により改良された本発明の別の実施態様においては、植物材料からの粗抽出物をまずカラム・クロマトグラフィーにより分離する。材料をカラム上に位置させうる可能な方法の一は、抽出残留物の有機溶媒溶液をカラム充填材料の一部と混合し、乾燥させたスラリを充填カラムの上部に移す方法である。抽出残留物の最初の溶離溶媒（最少量）溶液を充填カラムの上部に直接適用することも可能である。溶媒又は溶媒混合物を用い徐々に極性を増大させながらカラムを溶離するような方法で、カラムを有機溶媒で溶離する。カラムの溶離により得られた大部分のTHCを含む１個以上のフラクションを減圧下で分別蒸留する。蒸留物を実質的に一定の沸点温度範囲で回収すると、この蒸留物は９０質量％以上のTHCを含有することがわかった。分別蒸留からの蒸留物をカラム・クロマトグラフィー又は順相又は逆相HPLCで更に精製することにより、９５％以上、好ましくは９８％以上の純度のTHCが得られうる。
【０００８】
カラム・クロマトグラフィーは、例えば、順相操作の場合にはシリカ又はアルミナ、逆相操作の場合にはC18又はC8結合相シリカを含むいずれかの公知の材料を用いて実施しうる。順相クロマトグラフィーカラムの溶離は、溶媒の極性を増大させながら実施する。非極性溶媒には、例えば、ペンタン、ヘキサン、イソオクタン及び石油エーテルを含む低級直鎖状及び分枝鎖状アルカンが含まれる。それより極性の溶媒には、例えば、ジアルキルエーテル、低級アルキルアセテート、低級ジアルキルケトン及び低級アルコールを含む種々の有機エーテル、アルコール、エステル又はケトンが含まれる。代表的な極性溶媒には、例えば、アセトン、酢酸エチル、ジエチルエーテル及びイソプロピルアルコールが含まれる。非極性溶媒の極性溶媒に対する割合は、１００：０乃至８０：２０の範囲で変化しうる。
逆相条件下の溶離クロマトグラフィーは、溶媒の極性を減少させながら実施する。これらの溶媒には、極性部分として水又は酸性緩衝液、より極性の低い部分として低級アルカノール（例えば、メタノール、エタノール及びイソプロパノール）又はアセトニトリルが含まれ、水性の有機に対する割合が５０：５０乃至０：１００の混合物である。クロマトグラフィー法はまた、分離用スケールカラムを用いた順相又は逆相条件下で前述の方法とほぼ同様にしてHPLC条件下でも実施しうる。
フラッシュ蒸留は減圧下、すなわち１mmHg以下、好ましくはほぼ０．１mmHgの真空下で実施される。
【０００９】
クロマトグラフィー及び／又は分別蒸留前のカンナビス抽出物中のΔ-9-THC含量の改良
最初のカンナビス抽出物中のΔ-9-THC濃度は、出発植物材料の効力（％THC）の関数である。例えば、THC含量が約３％のカンナビス植物材料は、第一抽出物において約３５％のTHCのヘキサン抽出物、及び第二の抽出物において２０％未満の抽出物を生成し、これらは更なる処理のために第一及び第二の抽出物を別々に保持する必要があろう。４％のカンナビス生物資源は、約４０％のTHCの第一ヘキサン抽出物、及び２０％をわずかに超えるTHCの第二の抽出物を生成し、THC含量が約５〜７％の植物材料の抽出物は、４５〜５５％のTHCの第一ヘキサン抽出物、及び約２５％のTHCの第二の抽出物を生成するであろう。
４０％未満のTHCのカンナビス抽出物の処理は（それが低効力の植物材料からの第一抽出物であっても、ほとんど全ての植物材料の第二抽出物であっても）、そのような抽出物を簡単な工程で予備処理してTHC含量を約４０％以上に増大させることができたら、ずっと経済的になされるであろう。“低THC含量の”抽出物を、極性の水混和性溶媒（例えば、低級アルキルアルコール、ジアルキルケトン、アセトン又はメチルエチルのような）又はアセトニトリルの一を水と種々の割合で組み合わせて処理すると、少量のTHCを含む有意量の残留物が沈殿し、THCの主要な塊が（溶液中に）残ることが発見された。簡単な濾過工程により不必要な残留物が除去され、濾液の溶媒を蒸発させると、出発抽出物より質量がずっと低く、THC含量がずっと高い濃縮された抽出物が得られる。次いで得られた抽出物を従来どおりに処理する。更に、カンナビス抽出物の分別蒸留からの残留物は、通常低THC含量である。この材料は前述のようにして再び処理すると、方法全体が一層経済的になる。
【００１０】
アルミナ固定相上におけるΔ9-THC酸のキレート化
Δ-9-THC（１）は、生のカンナビス植物材料中にほぼ独占的にその前駆物質Δ9-THC酸A（２）として存在する。
【００１１】
【化１】
2005515238.tif 000002
【００１２】
乾燥及び抽出工程中に種々の量の前駆物質の酸２が脱カルボキシル化されて１となり、乾燥及び抽出条件に依存した割合の１及び２の混合物を含む抽出物が得られる。植物材料の穏和な乾燥条件（４０〜５０℃）及び抽出溶媒の穏和な蒸発温度では、抽出物の主要な成分は酸前駆物質２である。
したがって、本発明の改良は、特に、Δ9-THC酸Aを保存してΔ9-THCへの脱カルボキシル化を最小にする条件下で調製される抽出物に関する。
抽出物の溶液をアルミナで処理すると、酸の強い結合（キレート）を許容してその他の成分（テルペン、炭化水素、ステロール等のような中性カンナビノイド及び非カンナビノイド成分）を排除する。次いでアルミナを非極性乃至中程度の極性の溶媒で洗浄（溶離）して不必要な成分を除去し、例えば酢酸の量を変化させたメタノールのような強酸溶媒でΔ9-THC酸Aを溶離する。
次いで溶離された酸を分別蒸留すると比較的純粋な形（＞８０％クロマトグラフィー純度）でΔ9-THCが得られ、最終クロマトグラフィー工程で少量の不純物が除去される。あるいは、溶離された酸を更に精製してその他の同様なカンナビノイド酸を除去し、最後に使用した分別蒸留で純粋な形でΔ9-THCを得る。
したがって、アルミナでキレート化すると、単純な吸着（濾過）工程で比較的純粋な形のΔ9-THC酸Aが提供されるという利点を有する別の浄化工程が提供される。このことは、簡単な分別蒸留工程で酸からΔ9-THCを生成する能力を失うことなく、生物学的評価のために純粋な酸Aの分離を所望する場合には特に有であろう。
塩基性アルミナが好ましいが、この方法には、全部で３種類のアルミナ固体支持体（塩基性、中性、及び酸性）が使用されうることは注目されるべきである。
本発明の精神及び範囲から逸脱することなく、前述の本発明に種々の変更及び置換をなし得ることは当業者には理解されよう。したがって、本発明を限定するのではなく例により記載することが理解される。
【実施例１】
【００１３】
抽出：
２００gの風乾して粉末化した芽（７．８２％のTHC）及び２７０gの風乾して粉末化した芽（６．６１％のTHC）を混合し、室温において２４時間ヘキサン（２．２Lのヘキサン×４）に浸漬することにより抽出した。ヘキサン抽出物を一緒にして減圧下で蒸発させると、７６．５g（１６．３％の抽出）が得られた。
カラム・クロマトグラフィー：
５．６gのヘキサン抽出物（４０％THC）を１００gのシリカゲル（silica gel 60, E. Merck）及び５０mlのヘキサンと混合した。乾燥したスラリをシリカゲルカラム（８５０g silica gel 60, 寸法：１０×６０cm  ）の上部に移した。石油エーテル及びエーテルを用い極性を増大させながら溶離を実施した。１２個のフラクションが回収され、TLCで分別した。同一のフラクションは一緒にした。石油エーテル−エーテル（９：１）で溶離したフラクションを蒸発させると、３７．３gの残留物が得られ、このものは、ガスクロマトグラフィー（GC）分析によれば５５．８７％のTHC含量を示した。このフラクションは、カラムに適用した材料中の大部分のTHC（９３％）を含有した。
分別蒸留：
回収したフラクションの一部（７．１g）を減圧下（０．０８〜０．１mmHg）で分別蒸留すると、２個の主要なフラクションが得られ、一方は１７０〜１７５℃（９０％THC、２．３４g）回収され、もう一方は１７５〜１８０℃（８８．２％THC、１．３２g）で回収された。
【実施例２】
【００１４】
抽出：
風乾して粉末化した芽（３８０g、２．２０％のTHC）を、室温において２４時間浸漬することによりヘキサン（１．８Lのヘキサン×３）で抽出した。ヘキサン抽出物の総質量は２９．１g（７．７％の抽出）であった。ヘキサン抽出物中のTHCの％は２８．７６％であった。
カラム・クロマトグラフィー：
ヘキサン抽出物（２９．１g）を１００gのシリカゲル（silica gel 60, E. Merck）及び５０mlのヘキサンと混合した。乾燥したスラリをシリカゲルカラム（８５０g silica gel 60, 寸法：１０×６０cm  ）の上部に移した。石油エーテル及びエーテル混合物を用い極性を増大させながら溶離を実施した。９個のフラクションが回収され、TLCで分別した。同一のフラクションを一緒すると４個のフラクションが得られた。石油エーテル−エーテル（９：１）で回収したフラクションを蒸発させると、１３．３gの残留物が得られた。このフラクションは、ガスクロマトグラフィー（GC）分析によれば５８．９８％のTHC濃度を示し、カラムに適用した材料中の総THCの＞９３％回収であった。
分別蒸留：
前述のようにして回収したフラクションの一部（７．３g）を減圧下（０．０８〜０．１mmHg）で分別蒸留した。１７２〜１８０℃において主要なフラクション（３．７３８g）が回収され、８９質量％のTHCを含有することが見いだされた。
【実施例３】
【００１５】
１kgの微粉状マリファナ植物材料［THCの平均％は約５．２１％であった］を、室温において２４時間パーコレーター（上部の直径２２．９cm（９インチ）から長さ５０．８cm（２０インチ）、円錐状）中で６Lのヘキサン（EM SciencesからのHexanes GR）に浸漬して濾過した。浸漬物を５Lのヘキサンで更に２４時間再抽出した。ヘキサン抽出物を一緒にして、減圧下低温において蒸発させると、１１０．７gの残留物（１１．０７％の抽出）が得られた。ヘキサン抽出物中のTHCの％は４１．２１％であった。
カラム・クロマトグラフィー：
ヘキサン抽出物（１１０．７g）を１５０gのシリカゲル（silica gel 60, Art. # 9385-3）及び５０mlのヘキサンと混合した。風乾したスラリをシリカゲルカラム（８００g silica gel 60, 粒子寸法：０．０４〜０．０６３mm, EM Science製, Art. # 9385-3）の上部に移した。ヘキサン：エーテル混合物を用い極性を増大させながらカラムを溶離した。フラクションを回収し、TLCで分別した（分析シリカゲルプレート、展開系：ヘキサン：エーテル（８０：２０）、視覚化剤：Fast blue）。ヘキサン（３L）及びヘキサン−エーテル（９５：５、２L）で回収したフラクションを廃棄した。ヘキサン−エーテル（９５：５、３L）及びヘキサン−エーテル（９：１、５L）で回収した以下のフラクションを一緒にして蒸発させると、７７．２gの残留物が得られた。残留物のGC分析によれば、THC濃度は５４．７４％であることが示された。
分別蒸留：
前述のようにして回収したフラクションの一部（３０．５g）を減圧下（０．１〜０．１５mmHg）で分別蒸留した。温度をゆっくり１２５℃に上昇させると、回収した物質が分離した。次いで温度を１４０〜１６０℃に上昇させると、主要なフラクションが回収された（１４g）。GC分析によれば、＞９６％のTHCが示された。
【実施例４】
【００１６】
１kgの微粉状マリファナ植物材料［THCの平均％は４．４２であった］を、実施例３と同一の手順により６Lのヘキサンに浸漬して抽出すると、１０５．８gの残留物（１０．５８％の抽出）が得られた。GC分析によればヘキサン抽出物中のTHCの％は４０．３５％であった。
ヘキサン抽出物の直接分別蒸留：
ヘキサン抽出物の一部（２３．０g）を減圧下（０．１〜０．２mmHgの真空）で分別蒸留した。温度をゆっくり１６０℃に上昇させると、少量の物質（＜１g）が回収されて分離した。主要なフラクション（１０．１g）は１７０〜１８０℃で回収された。このフラクションのGC分析によれば、７２．６６％のTHC濃度が示された。
ヘキサン抽出物の第二の部分（２５．０g）を第一の部分と同様な条件下で分別蒸留した。主要なフラクションは１７０〜１８０℃で回収され、質量は１１．６gであり、THC濃度は７３．６２％であった。
ヘキサン抽出物の第三の部分（２５．０g）を前述の部分と同様な条件下で分別蒸留した。THCを含む主要なフラクションの質量は１０．２gであり、THC濃度は７３．７２％であった。
前述の３回の蒸留から得られた３つの主要なフラクションを一緒にして分析した。分析によればTHC濃度は７０．３１％であった。混合物（２８．９g）を同一条件下で再度分別蒸留した。温度を減圧下（０．１〜０．１５mmHg）でゆっくり１３５℃に上昇させると、回収されたフラクションが分離した。主要なTHCを含むフラクションが１４０〜１６０℃及び０．０５〜０．０６mmHgで回収された。フラクションの質量は１８．４gであり、THC含量は９２．１５％であった。
【実施例５】
【００１７】
実施例３で得られた純粋なTHC（THCの％は約９６％であった）の一部（０．８g）を１gのシリカゲル（silica gel 60）及び１mlのヘキサンと混合した。乾燥したスラリをシリカゲルカラム（１２g silica gel 60, 寸法：１×５０cm）の上部に移した。ヘキサン：エーテル混合物を用い極性を増大させながら溶離を実施した。６個のフラクションが回収され、TLCを用いて分別した。フラクション３〜５（ヘキサン：エーテル９８：２）を一緒にすると、０．６３gの残留物が得られた（THCの％は９８％であった）。
【実施例６】
【００１８】
実施例４で調製されたTHC（純度は約９２％であった）１gを、１gのシリカゲル（silica gel 60）及び１mlのヘキサンと混合した。乾燥したスラリをシリカゲルカラム（１３g silica gel 60, 寸法：１×５０cm）の上部に移した。実施例５と同様な条件下で溶離を実施した。フラクション３〜５から０．７８gの残留物が得られた（THCの％は９８％であった）。
【実施例７】
【００１９】
１０００gの風乾して粉末化したカンナビス（芽、GLC分析によればTHCの％は６．４９％であった）を、室温において２４時間ヘキサン（５L×３、ロット番号970424）に浸漬することにより抽出した。ヘキサン抽出物を一緒にして減圧下で蒸発させると、９７gの残留物が得られた。６７gのヘキサン抽出物を２００mlのイソオクタン（ロット番号904038）に溶解させ、溶液をシリカゲルカラム（２８０g silica gel 60, 粒子寸法４０Mm、カラムの寸法：１０×６０cm）の上部に移した。カラムをイソオクタン：メチル-t-ブチルエーテル混合物８：２（３L、フラクション１）で溶離し、次いでメタノール（１L、フラクション２）で洗浄した。フラクション１（５３g）のGLC分析によれば、THC濃度は５５．５６％であることが示された。
分別蒸留：
フラクション１（５３g）を０．１〜０．６mmHgの減圧下で分別蒸留した。１６０〜１７０℃において主要なフラクション（２０．０g）が回収され、９４質量％のTHCを含有することがわかった。
HPLCによるTHCの生成：
１０gの主要なフラクション（純度約９４％）を、Waters 486 Tunable asorbance detectorに連結したHPLC（water Delta prep 4000）で、column Prep PAK500/silicaを用いて精製した。溶離剤はイソオクタン：メチル-t-ブチルエーテル混合物（９８：２）であった。流速は、最初の１０分間は１０ml/分、次いで６０分間は２５ml/分、最後の２００分は５０ml/分となるようにプログラミングした。
結果を以下の表に要約する。
【００２０】
【表１】
2005515238.tif 000003
【００２１】
フラッシュカラムクロマトグラフィーを用いた分別蒸留により調製されたTHCの精製
【実施例８】
【００２２】
２．１gのTHC（純度９１％）を１０mlのイソオクタンに溶解させ、溶液をシリカゲルカラム（３０g silica gel、粒子寸法４０Mm、カラムの寸法：２．５×４０cm）の上部に移した。カラムをイソオクタン、次いでイソオクタン−アセトン混合物（９９：１）で溶離した。７個のフラクションが回収され、GLCにより分析した。THCの塊を含むイソオクタン−アセトン混合物（９９：１）フラクションが得られ、１．８４gの残留物（THCの％は９７％であった）が得られた。
【実施例９】
【００２３】
１gのTHC（純度９１％）を５mlのイソオクタンに溶解させ、溶液をシリカゲルカラム（１５g silica gel、粒子寸法４０Mm、寸法：２．５×４０cm）の上部に移した。イソオクタン−酢酸エチル混合物を用い、極性を増大させながらカラムを溶離し、フラクションを回収した。フラクション５（イソオクタン−酢酸エチル９８：２で溶離）から０．５６gの残留物が得られた（THCの％は９７％であった）。フラクション４（イソオクタン−酢酸エチル９８．５：１．５で溶離）から０．３２gの残留物が得られた（THCの％は９４．９％であった）。
【実施例１０】
【００２４】
１．１gのTHC（純度９１％）を５mlのイソオクタンに溶解させ、溶液をシリカゲルカラム（１５g silica gel、粒子寸法４０Mm、寸法：２．５×４０cm）の上部に移した。イソオクタン：イソプロピルアルコール混合物を用い、極性を増大させながらカラムを溶離した。５個のフラクションが回収された。イソオクタン−イソプロピルアルコール（それぞれ９８：２及び９５：５）で溶離したフラクション４及び５を一緒にすると、１gの残留物が得られた（THCの％は９４．％であった）。
HPLC（逆相）によるTHCの精製：
【実施例１１】
【００２５】
９．６gのTHC（純度９２．８％）を、Waters 486 Tunable asorbance detector（使用した波長：２５４Mm）に連結したHPLC（water Delta Prep 4000）で、Column Prep Pak C18（Waters製、寸法４６mm×３０cm、５５〜１０５Mm、ロット番号T72852）を用いて精製した。溶離剤はメタノール：水の混合物（７５：２５）であった。流速は、最初の１０分間は１０ml/分、次いで５０分間は２５ml/分、最後の１４０分は５０ml/分となるようにプログラミングした。結果を以下の表に要約する。
【００２６】
【表２】
2005515238.tif 000004
【００２７】
THCは、分別蒸留を２回実施することにより、Cannabis sativa L.のヘキサン抽出物から直接調製しうる。GLC分析によれば、THCの純度は約９０〜９２％である。シリカゲルカラムで更に精製すると、約９８％の純度のTHCが得られる。
THCは、カラム・クロマトグラフィー（シリカゲル）及びその後の分別蒸留により、Cannabis sativa L.のヘキサン抽出物から直接調製しうる。THCの純度は約９５〜９６％である。シリカゲルカラムで更に精製すると、少なくとも９８％の純度のTHCが得られる。
【実施例１２】
【００２８】
５gのカンナビスヘキサン抽出物（THC含量２６．２８％；THCのTHCAに対する比は４８：５２である）を１１０℃において１時間加熱すると全てのTHC酸が遊離THCに変換された。次いで１０gのアルミナ及び３mLのヘキサンと混合し、乾燥したスラリをアルミナカラム（７０g、塩基性アルミナ、８０〜２２５メッシュ、寸法：３×４０cm）の上部に移した。カラムは、ヘキサン、次いでヘキサン：mtbe混合物を用い、極性を増大させながら溶離した。結果を以下のように要約する。
【００２９】
【表３】
2005515238.tif 000005
【００３０】
カラムに５gの抽出物（THC含量１．３５g）を充填した。溶離した材料の総質量は４．５５g（THC含量１．３２４g）である。
この実施例は、遊離Δ9-THCがアルミナと強く結合しないので、中程度の極性溶媒で容易に溶離されうることを示す。
【実施例１３】
【００３１】
２０gのカンナビスヘキサン抽出物（THC含量２６．２８％；THCのTHCAに対する比は４８：５２である）を１１０℃において１時間加熱し、４０gのアルミナ及び１０mLのヘキサンと混合して、乾燥したスラリをアルミナカラム（２１０g、塩基性アルミナ、８０〜２２５メッシュ、寸法：２．９×６０cm）の上部に移した。カラムは、ヘキサン、次いでヘキサン：mtbe混合物を用い、極性を増大させながら溶離した。結果を以下のように要約する。
【００３２】
【表４】
2005515238.tif 000006
【００３３】
カラムに２０gの抽出物（THC含量５．２６g）を充填した。抽出物のアルミナに対する比は１：１２．５である。溶離した材料の総質量は１９．０７g（THC含量５．５４g）である。
この実施例は、THCAをアルミナから溶離するのに強い極性溶媒を必要とすることを示す。
この実施例はまた、遊離THCがアルミナを溶離する場合を示す。
【実施例１４】
【００３４】
５gのカンナビスヘキサン抽出物（THC含量２６．２８％；THC及びTHCA間の比は４８：５２である）を１０gの活性化アルミナ及び３mLのヘキサンと混合し、乾燥したスラリをアルミナカラム（７０g、塩基性アルミナ、８０〜２２５メッシュ、クロマトグラフィーグレード、寸法：３×４０cm）上でクロマトグラフィー分離した。ヘキサン、次いでヘキサン：mtbe混合物を用い、極性を増大させながらカラムを溶離した。結果を以下のように要約する。
【００３５】
【表５】
2005515238.tif 000007
【００３６】
カラムに５．０gの抽出物（THC含量１．３１４g）を充填した。溶離した材料の総質量は３．５５g（THC含量０．８７２g）である。このことは、充填した抽出物の２９．０％がまだカラム上にある（０．４４２gのTHC）ことを意味する。２％の酢酸を含むメタノールでカラムを更に溶離すると、０．４０５gのTHCAが得られた。
この実施例は、THCAをアルミナから溶離するのに強い極性溶媒を必要とすることを示す。
【実施例１５】
【００３７】
抽出：
微粉状の植物材料（２．０９kg、THC含量：４．３４％；THCのTHC酸に対する比１：９）を、９．５L（２．５ガロン）のパーコレーター中で室温において２４時間ヘキサン（１１．４L（３ガロン））に浸漬した。ヘキサン抽出物を回収し、浸漬物を２４時間７．６L（２ガロン）のヘキサンで再抽出した。一緒にした抽出物を総体積が３０００mLになるまで４０℃以下の温度で濃縮した。THCのTHC酸に対する比は１：８．６であった。
カラム・クロマトグラフィー：
ヘキサン抽出物（３０００mL）をアルミナカラム（１．８kgの塩基性アルミナ、ロット番号70K3701、活性グレード１、タイプWB 2；寸法：６×６０cm  ）の上部に移した。ヘキサン、次いでヘキサン−アセトン混合物を用い極性を増大させながらカラムを溶離した。全ての回収したフラクションを４０℃以下の温度で濃縮し、THC及びTHC酸含量について分析した。結果を以下の表に要約する。
【００３８】
【表６】
2005515238.tif 000008
*フラクション９は不透明だったので濾過すると、１．１gの炭化水素（ヘキサン可溶性）が得られた。
**フラクション１１及び１２を一緒にして、４０℃以下の温度における蒸留により溶媒を除去した。残留物（１５０g）をヘキサン（２L）及び水（４００mL）に分配した。ヘキサン層を無水Na2SO4上で乾燥させ蒸留すると、９０gの残留物が得られた。
【００３９】
実施例１６〜２０
抽出：
微粉状の植物材料（２．５４kg、THC含量：４．１％；THCのTHC酸に対する比１：１３）を、室温において２４時間ヘキサン（９．５L（２．５ガロン））に浸漬した。ヘキサン抽出物を回収し、浸漬物を２４時間ヘキサン（５．７L（１．５ガロン））で再抽出した。一緒にした抽出物を減圧下４０℃以下の温度で３０００mlまで濃縮した。抽出物を８等分した（各体積は３７５mLである）。３７５mLの抽出物は３１７．５gの植物材料に相当し、１３．０gのTHC（約１gのTHC及び１２gのTHC酸）を含有する。
カラム吸着剤に使用した吸着剤：
塩基性アルミナ、活性グレード１，タイプWB2
中性アルミナ、活性グレード１，タイプWN3
カラム：
カラム１：寸法２．９×６０cm；カラム２：寸法４．９×４０cm。各カラムに２５０gのアルミナを充填した。カラム１内のアルミナの高さは３７cmであり、カラム２は１３cmであった。
【実施例１６】
【００４０】
３７５mLの濃縮ヘキサン抽出物をアルミナカラム（２５０g塩基性アルミナ、寸法：２．９×６０cm）の上部に移した。ヘキサン、ヘキサン：アセトン（９０：１０）、メタノール、及び酢酸の３％メタノール溶液でカラムを溶離した。結果を以下のように要約する。結果を以下のように要約する。
【００４１】
【表７】
2005515238.tif 000009
*   これは長いカラムである。アルミナの高さは３７cmである。
**  フラクション４を濃縮し、残留物（１５０g）をヘキサン（４００mL）及び水（２００mL）に分配した。ヘキサン層を分離し、無水Na2SO4上で乾燥させ、蒸留した。
【実施例１７】
【００４２】
３７５mLの濃縮抽出物をアルミナカラム（２５０g中性アルミナ、寸法：２．９×６０cm）の上部に移した。ヘキサン、ヘキサン：アセトン９５：５、ヘキサン：アセトン９０：１０、メタノールでカラムを溶離した。結果を以下の表に要約する。
【００４３】
【表８】
2005515238.tif 000010
*   これは長いカラムである。アルミナの高さは３７cmである。
**  フラクション５は、実施例５と同様にして、ヘキサン及び水に分配することにより精製した。
*** 酢酸の３％メタノール溶液を用いると、塩基性アルミナより中性アルミナから容易にTHC酸を溶離すると思われる。
【実施例１８】
【００４４】
３５０mLの濃縮抽出物をヘキサンを用いて７５０mLにもどし、アルミナカラム（２５０g中性アルミナ、寸法：２．９×６０cm）の上部に移した。ヘキサン、ヘキサン：アセトン９０：１０、及び酢酸の３％メタノール溶液でカラムを溶離した。結果を以下の表に要約する。
【００４５】
【表９】
2005515238.tif 000011
*   これは長いカラムである。アルミナの高さは３７cmである。
**  ヘキサン及び水に分配することによりフラクション３から酢酸を除去した。
【実施例１９】
【００４６】
３２５mLの濃縮ヘキサン抽出物をアルミナカラム（２５０g中性アルミナ、寸法：２．９×６０cm）の上部に移した。ヘキサン、ヘキサン：メチル-t-ブチルエーテル（９０：１０）、ヘキサン：mtbe（８０：２０）、及び酢酸の３％メタノール溶液でカラムを溶離した。結果を以下の表に要約する。
【００４７】
【表１０】
2005515238.tif 000012
【実施例２０】
【００４８】
６５０mLの濃縮ヘキサン抽出物をアルミナカラム（５００g塩基性アルミナ、寸法：４．９×６０cm）の上部に移した。ヘキサン、ヘキサン：mtbe（９０：１０）、ヘキサン：mtbe（８０：２０）、及び３％酢酸／メタノールでカラムを溶離した。結果を以下の表に要約する。
【００４９】
【表１１】
2005515238.tif 000013
*   カラム内のアルミナの高さは２６cmである。
【実施例２１】
【００５０】
２００gのカンナビス植物材料（総THC含量約６％；THC:THCA＝１：２．５）をヘキサンで抽出し、ヘキサン抽出物の総量を１８００mLとした。５６７mLのヘキサン溶液（６３gの植物材料に相当）を４４gの塩基性アルミナとともに２時間攪拌して濾過した。回収したアルミナを、１９gの新たな塩基性アルミナを含むアルミナカラム（寸法２×２２．５cm、抽出物のアルミナに対する比は１：１０）に添加し、以下のようにしてカラムを溶離した。
【００５１】
【表１２】
2005515238.tif 000014
【００５２】
充填前のアルミナからの濾過液を分析すると、THC酸ではなくてTHCが存在することが示された。すなわち、アルミナをヘキサン抽出物に添加することにより全てのTHC酸及びほとんどのTHCがアルミナにキレートされた。したがって、簡単な濾過及びアルミナの洗浄をカラムの代わりに使用しうるであろう。
実施例２２及び２３
酢酸の３％メタノール溶液を用いてアルミニウムカラムから溶離したフラクションの分別蒸留を実施した。これらのフラクションのTHC含量は５８〜７０％である。蒸留にはバルブ・トウ・バルブ（bulb to bulb）蒸留単位装置を使用した。THCは、１８０〜１９０℃の温度及び０．６mmHgの真空下で蒸留した。
【実施例２２】
【００５３】
１３．５gのTHC酸フラクション（THC酸含量７０％）を３００mLのメタノールに溶解させ、濾過により沈殿物を除去した（０．８gppt）。濾液を蒸留し、残留物を２つの部分（部分Ａ：６．０g；部分Ｂ：６．７g）に分けた。
部分Ａをゆっくり蒸留すると、以下のものが得られた。
１．蒸留物：３．７g、GC（内部基準を使用）によるTHC含量：８２．４％。
２．蒸留フラスコ内残留物：THC含量：２９．５％。
部分Ｂを迅速に蒸留すると、以下のものが得られた。
１．蒸留物：３．０g、THC含量：８１．６％。
２．蒸留フラスコ内残留物：THC含量：４１．９％。
【実施例２３】
【００５４】
５．０gのTHC酸フラクション［THC酸含量５８％］を蒸留すると、以下のものが得られた。
１．蒸留物：２．８g、THC含量：８０．５％。
２．蒸留フラスコ内残留物：THC含量：３２．０％。
【実施例２４】
【００５５】
１gのTHC酸フラクション［THC酸含量６８．４％］を２０mLのメタノールに溶解させた。形成された沈殿物を遠心分離により分離した（質量１００mg）。試料を一昼夜冷蔵庫に置いた。翌日更なる沈殿物が観察された（４０mg）。試料を０．４５Mmのフィルターを用いて濾過した。濾液をHLPCに装填した。溶媒系：メタノール：水（８０：２０）。装置：1000 Prepak モジュールを具備するWaters Delta Prep HLPC 4000。カラム：Prepak C18 カートリッジ、水、５５〜１０５μm、１２５A；寸法：４６mm×３０cm。HLPC分析によれば、THC酸は＞９４％の純度で単離された。
【実施例２５】
【００５６】
５．８gのTHC酸［THC酸含量６８．４％］を２０mLのメタノールに溶解させた。試料を一昼夜冷蔵庫に置いた。翌日沈殿物を濾過した。沈殿物の質量は０．４８５gであった。透明な濾液をHLPCに装填した。定組成溶液：メタノール：水：酢酸（８０：２０：０．０１）を用いて溶離を実施した。再び、精製THC酸を溶離されたフラクションから固体の形で単離した。
【実施例２６】
【００５７】
THCAの蒸留
４．３５gのTHCAフラクション（THCA含量は９４．１％である）をバルブ・トウ・バルブ蒸留した。３．４５gのTHCが、１９０〜１９５℃の温度及び０．５０〜０．５５mmHgの真空下で回収された（３．４５gのTHCは３．９３gのTHCAに相当するので、収率は９０．４％である）。回収されたTHCの純度は＞９６％であった。
【実施例２７】
【００５８】
３６％のTHC及び１１％のTHC酸を含有するマリファナ抽出物１gを２０mLのヘキサンに溶解させた溶液を、５gの活性化酸性酸化アルミニウム（Aldrich Chemical Company、標準グレード、１５０メッシュ、５８Å）を充填したカラム（内径０．５cm）に通した。次いで、アセトンの２．５％ヘキサン溶液（２０mL）、アセトンの５％ヘキサン溶液（２０mL）、アセトンの１０％ヘキサン溶液（２０mL）、メタノール（２０mL）、及び酢酸の５％メタノール溶液（３×２０mL）を含む溶媒系を用いてカラムを溶離した。各フラクションを回収し、THC及びTHC酸含量について分析した。各フラクションにおけるTHC及びTHC酸の量は、（１）ヘキサンフラクション、０．００３gのTHC；（２）アセトンの２．５％ヘキサン溶液フラクション、０．２８２gのTHC及び０．００５gのTHC酸；（３）アセトンの５％ヘキサン溶液フラクション、０．０４４gのTHC；（４）アセトンの１０％ヘキサン溶液フラクション、０．０１２gのTHC；（５）メタノールフラクション、０．０１６gのTHC及び０．０３７gのTHC酸；（６〜８）一緒にした酢酸の５％メタノール溶液フラクション、０．００５gのTHC及び０．０６４gのTHC酸、であった。
【実施例２８】
【００５９】
弱酸性酸化アルミニウムを使用して実施例２７で概要を説明した研究を繰り返すと、実施例２７と同様な結果が得られた。
【実施例２９】
【００６０】
カンナビス植物材料のヘキサン抽出物（THC含量２６％）からアリコートをとり、３つの試料（Ａ、Ｂ、及びＣ）に分けた。
試料Ａ：
４．４ｇの抽出物に４４mLのメタノールを添加した。これを少なくとも１時間超音波処理し、次いで一昼夜冷蔵庫に置いた。翌日混合物を濾過して残留物をメタノール：水（９５：５）で洗浄した。残留物をヘキサンに溶解させ、次いでRotovaporを用いて乾燥させた。濾液も乾燥させた。
試料Ｂ：
４．１ｇの抽出物に４１mLの９０％エタノール／水を添加した。これを少なくとも１時間超音波処理し、次いで一昼夜冷蔵庫に置いた。翌日混合物を濾過した。残留物をヘキサンに溶解させて乾燥させた。濾液も乾燥させた。
試料Ｃ：
１０．２ｇの抽出物に１００mLのエタノール（９５％）を添加した。混合物を超音波処理し、次いで濾過した。残留物をヘキサンに溶解させて乾燥させた。濾液も乾燥させた。
次いで全ての濾液及び残留物を秤量して分析した。結果を以下に要約する。
【００６１】
【表１３】
2005515238.tif 000015
【実施例３０】
【００６２】
実施例１で使用したヘキサン抽出物（THC含量２６％）の追加の試料を使用し、以下のように処理した。
試料Ｄ：
抽出物（７．５６g）に７５．６mLのエタノール（９０％）を添加した。抽出物が溶液になるまで加熱及び超音波処理した。一昼夜冷蔵庫に置いた。濾過して、残留物及び濾液を乾燥させた。
試料Ｅ：
抽出物（６．８５g）に６８．５mLのエタノール（９５％）を添加した。抽出物が溶液になるまで超音波処理し、１．９mLの水を滴下した（最終濃度９２．５％）。一昼夜冷蔵庫に置き次いで濾過した。
試料Ｆ：
抽出物（７．５６g）に７５．６mLのエタノール（２００プルーフ）を添加した。抽出物が溶液になるまで超音波処理した。次いで６．１mLの水を滴下した。最終エタノール濃度（９２．５％）。一昼夜冷蔵庫に置き次いで濾過した。
試料Ｇ：
抽出物（７．３１g）に７３．９mLのエタノール（９２．５％）を添加した。抽出物が溶液になるまで超音波処理し、次いで一昼夜冷蔵庫に置いた。濾過した。
次いで濾液及び残留物を乾燥させ、秤量して、以下のようにTHC含量について分析した。
【００６３】
【表１４】
2005515238.tif 000016
【００６４】
この実施例は、抽出物を直接水性エタノール混合物で処理しても、抽出物をまず無水エタノールに溶解させ、次いで特定のアルコール濃度にするために水を添加しても同一の結果が得られることを示す。
【実施例３１】
【００６５】
８gのカンナビス植物材料のヘキサン抽出物（THC含量２０．０％）を８０mLのエタノール（２００プルーフ）に溶解させた。この溶液を均等に４つのフラスコに分けた。各フラスコに、攪拌しながら水を添加して種々の濃度にした。それらを濾過及び乾燥させて分析した。
【００６６】
【表１５】
2005515238.tif 000017
【００６７】
この実施例は、８２．５％のエタノールの場合に最高のTHC含量及び最高の総回収が得られることを示す。
【実施例３２】
【００６８】
８gのカンナビス植物材料のヘキサン抽出物（THC含量２０．０％）を、超音波処理により８０mLのイソプロパノールに溶解させた。この溶液を均等に４つのフラスコに分けた。各フラスコに水を添加して種々の濃度にした。
【００６９】
【表１６】
2005515238.tif 000018
【００７０】
この実施例は、７０％のイソプロパノールの場合にTHC濃度が最高に増大することを示す。
【実施例３３】
【００７１】
１７．５gのカンナビスヘキサン抽出物（THC含量３７％）を１００mLのイソプロパノールに溶解させた。この溶液を均等に７つのフラスコに分けた。各フラスコに攪拌しながら水を添加して所望の濃度にした。
【００７２】
【表１７】
2005515238.tif 000019
【００７３】
この実施例は、７２．５％のイソプロピルアルコールの場合に最良の結果が得られることを示す。
【実施例３４】
【００７４】
１gのカンナビスヘキサン抽出物（THC含量４８．８％）を７つのフラスコの各々に添加した。フラスコ１〜５に５mLのアセトンを添加して超音波処理した。フラスコ６及び７の各々には５mLのアセトニトリルを添加した。フラスコ１〜５に攪拌しながら水を添加した。フラスコ６はそのまま濾過した。フラスコ７には１mLのヘキサンを添加し、次いで２mLのアセトニトリルを添加した。これを濾過し、次いで濾液を濃縮してヘキサンを除去した。それを再び濾過した。
【００７５】
【表１８】
2005515238.tif 000020
【実施例３５】
【００７６】
カンナビス植物材料のヘキサン抽出物（THC含量２６％）の試料１０gを以下の溶媒に溶解させた。アセトニトリル（９５mL、８０mL、及び７０ mL）、イソプロパノール（７０mL）、及びメタノール（１００mL）。次いで種々の量の水を各溶液に添加すると、５種類の抽出物の最終溶液、つまり抽出物の９５％アセトニトリル溶液、８０％アセトニトリル溶液、７０％アセトニトリル溶液、７０％イソプロパノール溶液、及び１００％メタノール溶液が得られた。次いでこれらの最終溶液を濾過し、濾液及び残留物の両方を乾燥、秤量し、THC含量について分析した。結果を以下に示す。
【００７７】
【表１９】
2005515238.tif 000021
結果は、８０％又は９５％のアセトニトリルが７０％のイソプロパノールに匹敵する結果となることを示す。
【実施例３６】
【００７８】
アセトニトリル又はアセトニトリル水混合物を用いた粗ヘキサン抽出物の分配
約１．８gの抽出物を含むカンナビス抽出物（THC含量３７％）のヘキサン溶液のアリコート１０mLを、１０mLのアセトニトリル、アセトニトリル：水（９：１）又はアセトニトリル：水（８：２）のいずれかに分配した。アセトニトリル層を分離し、各場合の分配を各々と同一の溶媒１０mLを用い２回以上繰り返した。一緒にしたアセトニトリルフラクション並びにヘキサンフラクションをTHC含量について分析した。
【００７９】
【表２０】
2005515238.tif 000022
【００８０】
この実施例は、いずれの場合でも、９０％のアセトニトリルの場合のアセトニトリル層内のTHC濃度がTHC濃度を最も増大させることを示す。
実施例３７〜３９
メタノール性KOH溶液を用いて粗カンナビス抽出物の分配を実施した。
【実施例３７】
【００８１】
１０．９gの粗ヘプタン抽出物（THC含量３２．０５％）を１００mLのヘキサンに溶解させ、４０mLのKOHの１N MeOH-H2O（９０：１０）溶液とともに２回振盪した。ヘキサン層を回収し、乾燥させ（２．２g）、THC含量について分析した（２．２％）。メタノール性KOH層に６５mLの２N HClを添加することにより酸性化し、ヘキサン（２００mL）とともに２回振盪することにより抽出した。ヘキサン層を回収し、乾燥させ（７．２g）、THC含量（４９．１％）について分析すると、＞９５％の回収であった。
【実施例３８】
【００８２】
１０．１gの粗ヘプタン抽出物（THC含量３２．０５％）を１００mLのヘキサンに溶解させ、４０mLのKOHの１N MeOH-H2O（８０：２０）溶液とともに２回振盪した。ヘキサン層を回収し、乾燥させ（３．４g）、THC含量について分析した（４．４％）。メタノール性KOH層に６５mLの２N HClを添加することにより酸性化し、ヘキサン（２００mL）とともに２回振盪することにより抽出した。ヘキサン層を回収し、乾燥させ（５．７g）、THC含量（５４．０５％）について分析すると、９５％の回収であった。
【実施例３９】
【００８３】
３３gの粗ヘプタン抽出物（THC含量４１．４％）を３００mLのヘキサンに溶解させ、１２０mLのKOHの１N MeOH-H2O（７０：３０）溶液とともに２回振盪した。ヘキサン層を回収し、乾燥させ（８．５g）、THC含量について分析した（７．９％）。メタノール性KOH層に２００mLの２N HClを添加することにより酸性化し、ヘキサン（６００mL）とともに２回振盪することにより抽出した。ヘキサン層を回収し、乾燥させ（２１．１g）、THC含量（６２．５％）について分析すると、＞９５％の回収であった。
【実施例４０】
【００８４】
メタノール性KOH溶液を用いたカンナビス抽出物の直接処理：
５．２８gのヘプタン抽出物（THC含量４１．４％）を、５０mLのKOHの０．２５Nメタノール溶液を用いて十分に超音波処理し、濾過した。沈殿物は１gであった（たぶん炭化水素）。濾液を１５mLの１N HClで酸性化し、ヘキサン（１００mL×２）で２回抽出すると３．１８gの残留物（THC含量７０．０２％）が得られ、ほとんど定量的に回収された。
【実施例４１】
【００８５】
カンナビス抽出物の分別蒸留後に残された残留物の再処理：
５５％のTHCを含む３４gのマリファナ抽出物を減圧下（０．３mmHg）で蒸留し、１７４〜１９２℃における蒸留物を回収すると、８２％のTHCを含む淡黄色の油が１７．８g得られた。
蒸留フラスコに残っている残留物を室温に冷却して秤量すると１５．７gであり、分析すると２５％のTHCを含有した。これを５０mLのメタノールを用いて摩砕し、濾過した。濾過ケーキを別の５０mLのメタノールを用いて摩砕し、濾過した。濾液を一緒にして蒸発させると、７．０４gの油が得られ、分析すると５５％のTHCを含有した（９８％の回収）。
【００８６】
（参考文献）
2005515238.tif 000023
2005515238.tif 000024
【国際調査報告】
2005515238.tif 000025
2005515238.tif 000026
2005515238.tif 000027